【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
規則性を有するノイズ状の模様が映像に生成されるように第１の映像信号に対して補正を行うことにより第２の映像信号を生成する
信号処理回路。
【請求項２】
前記ノイズ状の模様として、前記映像の面内の第１の方向、および前記第１の方向と交差する第２の方向に繰り返しパターンの模様が前記映像に生成されるように前記第１の映像信号に対して補正を行うことにより前記第２の映像信号を生成する
請求項１に記載の信号処理回路。
【請求項３】
前記第１の映像信号を正規化したのち、正規化後の第１の映像信号に対して前記補正を行うことにより前記第２の映像信号を生成する
請求項２に記載の信号処理回路。
【請求項４】
前記第１の映像信号は、表示パネルの画素数分の階調信号を含み、
当該信号処理回路は、前記表示パネルの全画素数よりも少ない数の補正係数を含むＬＵＴ(Look Up Table)を用いて前記第１の映像信号の各階調信号に対して前記補正を行う
請求項３に記載の信号処理回路。
【請求項５】
前記第１の映像信号の各階調信号に対する前記補正を、前記ＬＵＴに含まれる補正係数の数ごとに順次、行う
請求項４に記載の信号処理回路。
【請求項６】
前記補正を一度に行う複数の階調信号の組み合わせを、所定の時間ごとに変更する
請求項４に記載の信号処理回路。
【請求項７】
前記ＬＵＴは、当該ＬＵＴに含まれる全ての補正係数を前記表示パネルの画素の配列に対応してマトリクス状に配列させたときに、その配列は、１回回転対称または２回回転対称となっている
請求項４に記載の信号処理回路。
【請求項８】
前記ＬＵＴは、前記補正係数として、１よりも小さな整数、１、および１よりも大きな整数のうち、少なくとも、１および１よりも大きな整数を含む
請求項４に記載の信号処理回路。
【請求項９】
前記第１の映像信号は、所定のガンマ補正のなされた映像信号であり、
当該信号処理回路は、前記第１の映像信号のガンマ補正をキャンセルすることによりリニアなガンマ特性の第３の映像信号を生成する
請求項２に記載の信号処理回路。
【請求項１０】
前記第３の映像信号を正規化したのち、正規化後の第３の映像信号に対して前記補正を行うことにより前記第２の映像信号を生成する
請求項９に記載の信号処理回路。
【請求項１１】
表示パネルと、前記表示パネルを駆動する駆動回路とを備え、
前記駆動回路は、規則性を有するノイズ状の模様が映像に生成されるように第１の映像信号に対して補正を行うことにより第２の映像信号を生成する信号処理回路を有する
表示装置。
【請求項１２】
表示装置を備え、
前記表示装置は、表示パネルと、前記表示パネルを駆動する駆動回路とを有し、
前記駆動回路は、規則性を有するノイズ状の模様が映像に生成されるように第１の映像信号に対して補正を行うことにより第２の映像信号を生成する信号処理回路を有する
電子機器。
【請求項１３】
規則性を有するノイズ状の模様が映像に生成されるように第１の映像信号に対して補正を行うことにより第２の映像信号を生成する
信号処理方法。
【手続補正２】
【補正対象書類名】明細書
【補正対象項目名】００２２
【補正方法】変更
【補正の内容】
【００２２】
走査線駆動回路１６は、例えば、駆動回路２０から供給される走査タイミング制御信号に応じて、駆動対象の画素１４を選択するようになっている。具体的には、走査線駆動回路１６は、例えば、書込線ＷＳＬを介して、選択パルスを画素１４の選択回路（図示せず）に印加することにより、マトリックス状に配置されている複数の画素１４のうちの１行を駆動対象として選択するようになっている。そして、これらの画素１４では、データ線駆動回路１５から供給される信号電圧に応じて、１水平ラインの表示がなされる。このようにして、走査線駆動回路１６は、例えば、時分割的に１水平ラインずつ順次走査を行い、画素領域全体にわたった表示を行うようになっている。
【手続補正３】
【補正対象書類名】明細書
【補正対象項目名】００３３
【補正方法】変更
【補正の内容】
【００３３】
図４（Ｃ）のムラ補正ＬＵＴ３６Ｂでは、１２個の補正係数が６×２の行列となっており、１回回転対称の配置となっている。さらに、図４（Ｃ）のムラ補正ＬＵＴ３６Ｂでは、補正係数が３値となっており、かつ１以下（具体的には、０．９，０．９５，１）となっている。図４（Ｃ）では、０．９の補正係数が２か所において、横一行に配置され、１の補正係数のブロックと０．９５の補正係数のブロックとがそれぞれ、０．９の補正係数を中途に挟みながら、斜め方向に並んで配置されている。図４（Ｃ）の配列が縦方向および横方向に繰り返し配置された場合には、０．９の補正係数が横方向に連続して延在し、さらに、１の補正係数のブロックと０．９５の補正係数のブロックとが斜め方向に並んで配置されることになる。そのため、表示パネル１０に起因して生じる特定のスジが縦方向に延在している場合には、その特定のスジは、０．９の補正係数の延在方向と直交し、さらに、１の補正係数のブロックの配列と交差するとともに、０．９５の補正係数のブロックの配列とも交差する。従って、図４（Ｃ）の配列は、表示パネル１０に起因して生じる特定のスジが縦方向に延在することを想定して設定されたものである。
【手続補正４】
【補正対象書類名】明細書
【補正対象項目名】００３４
【補正方法】変更
【補正の内容】
【００３４】
図４（Ｄ）のムラ補正ＬＵＴ３６Ｂでは、１６個の補正係数が４×４の行列となっており、１回回転対称の配置となっている。さらに、図４（Ｄ）のムラ補正ＬＵＴ３６Ｂでは、補正係数が３値となっており、かつ１以下（具体的には、０．９，０．９５，１）となっている。図４（Ｄ）では、０．９５および０．９の補正係数のブロックと、１の補正係数のブロックとが対角に配置されている。図４（Ｄ）の配列が縦方向および横方向に繰り返し配置された場合には、０．９５および０．９の補正係数のブロックが斜め方向に連続して延在すると共に、１の補正係数のブロックが斜め方向に連続して延在することになる。見方を変えると、０．９５および０．９の補正係数のブロックと１の補正係数のブロックとが市松模様状に配置されることになる。従って、図４（Ｄ）の配列は、表示パネル１０に起因して生じる特定のスジが縦方向または横方向に延在することを想定して設定されたものである。
【手続補正５】
【補正対象書類名】明細書
【補正対象項目名】００４０
【補正方法】変更
【補正の内容】
【００４０】
図５（Ｂ）のムラ補正ＬＵＴ３６Ｂでは、１２個の補正係数が６×２の行列となっており、１回回転対称の配置となっている。さらに、図５（Ｂ）のムラ補正ＬＵＴ３６Ｂでは、補正係数が３値となっており、かつ１を超える値（具体的には１．０５）と、１以下の値（具体的には、０．９５，１）とを含んでいる。図５（Ｂ）では、０．９５の補正係数が２か所において、横一行に配置され、１の補正係数のブロックと１．０５の補正係数のブロックとがそれぞれ、０．９５の補正係数を中途に挟みながら、斜め方向に並んで配置されている。図５（Ｂ）の配列が縦方向および横方向に繰り返し配置された場合には、０．９５の補正係数が横方向に連続して延在し、さらに、１の補正係数のブロックと１．９５の補正係数のブロックとが斜め方向に並んで配置されることになる。そのため、表示パネル１０に起因して生じる特定のスジが縦方向に延在している場合には、その特定のスジは、０．９５の補正係数の延在方向と直交し、さらに、１の補正係数のブロックの配列と交差するとともに、０．９５の補正係数のブロックの配列とも交差する。従って、図５（Ｂ）の配列は、表示パネル１０に起因して生じる特定のスジが縦方向に延在することを想定して設定されたものである。
【手続補正６】
【補正対象書類名】明細書
【補正対象項目名】００４１
【補正方法】変更
【補正の内容】
【００４１】
図５（Ｃ）のムラ補正ＬＵＴ３６Ｂでは、１６個の補正係数が４×４の行列となっており、１回回転対称の配置となっている。さらに、図５（Ｃ）のムラ補正ＬＵＴ３６Ｂでは、補正係数が３値となっており、かつ１を超える値（具体的には１．０５）と、１以下の値（具体的には、０．９５，１）とを含んでいる。図５（Ｃ）では、１．０５の補正係数のブロックが斜め方向に並んで配置され、さらに、１の補正係数と０．９５の補正係数とが配列中、斜めに配置されている。従って、図５（Ｃ）の配列は、表示パネル１０に起因して生じる特定のスジが縦方向または横方向に延在することを想定して設定されたものである。
【手続補正７】
【補正対象書類名】明細書
【補正対象項目名】００４３
【補正方法】変更
【補正の内容】
【００４３】
図５（Ｅ）のムラ補正ＬＵＴ３６Ｂでは、１６個の補正係数が４×４の行列となっており、１回回転対称の配置となっている。さらに、図５（Ｅ）のムラ補正ＬＵＴ３６Ｂでは、補正係数が３値となっており、かつ１を超える値（具体的には１．０５）と、１以下の値（具体的には、０．９５，１）とを含んでいる。図５（Ｅ）では、１の補正係数と、０．９５および１．０５の補正係数のブロックとが配列中、斜めに配置されている。従って、図５（Ｅ）の配列は、表示パネル１０に起因して生じる特定のスジが縦方向、横方向または斜め方向に延在することを想定して設定されたものである。
【手続補正８】
【補正対象書類名】明細書
【補正対象項目名】００６１
【補正方法】変更
【補正の内容】
【００６１】
図１５は、ドライバ５０を機能ブロックで表したものである。ドライバ５０は、例えば、サンプル・ホールド回路５１、Ｄ／Ａ変換回路５２、およびドライバ回路５３を有している。サンプル・ホールド回路５１は、シリアルデジタルの映像信号ＤＡに対して並列化処理を行い、複数並列の映像信号に展開するようになっている。サンプル・ホールド回路５１は、相展開した映像信号を、タイミング生成回路４０からのクロックＣＬＫに基づいたタイミングで、Ｄ／Ａ変換回路５２に出力するようになっている。Ｄ／Ａ変換回路５２は、サンプル・ホールド回路５１から入力された映像信号（相展開した映像信号）をアナログ信号化して、ドライバ回路５３に出力するようになっている。Ｄ／Ａ変換回路５２がドライバ回路５３に出力する電圧の範囲が、表示パネル１０の有効電圧範囲に対応する。つまり、Ｄ／Ａ変換回路５２が表示パネル１０の有効電圧範囲を規定している。ドライバ回路５３は、タイミング生成回路４０から出力されたクロックＣＬＫに基づく所定のタイミングで、アナログの映像信号を交流反転化させて、映像信号Ｖｓｉｇ１〜ＶｓｉｇＮとして、表示パネル１０に印加するようになっている。
【手続補正９】
【補正対象書類名】明細書
【補正対象項目名】００６６
【補正方法】変更
【補正の内容】
【００６６】
＜２．変形例＞
[変形例１]
上記実施の形態では、ムラ補正回路３３は、映像信号Ｄｉｎ２の各階調信号に対するムラ補正を、ムラ補正ＬＵＴ３６Ｂに含まれる補正係数の数ごとに順次、行うようになっていた。このとき、ムラ補正回路３３は、例えば、図６（Ａ）または図６（Ｂ）に示したように、ムラ補正を一括して行う映像信号Ｄｉｎ２の組み合わせを、時間経過に拘わらず固定にしてもよい。ただし、ムラ補正回路３３は、ムラ補正を一括して行う映像信号Ｄｉｎ２の階調信号の組み合わせを、所定の時間ごとに変更するようにしてもよい。例えば、図１６（Ａ）、図１６（Ｂ）、図１６（Ｃ）および図１６（Ｄ）にように、ムラ補正回路３３は、ムラ補正を一括して行う映像信号Ｄｉｎ２の組み合わせを、所定の時間ごとに、画素１１配列の横方向に１画素分ずつずらすようにしてもよい。このようにした場合には、ムラ補正ＬＵＴ３６Ｂの適用によって生じる模様に起因する焼き付きを防止することができる。